(57)【特許請求の範囲】
【請求項１】
吊り戸の戸枠の上縁に設けられたガイドレールに沿って長手方向に走行するガイド部材と、戸板の上端に固定される戸板取付部材と、前記ガイド部材と前記戸板取付部材とを連結する支持軸と、を有する、吊り戸のランナー構造であって、
前記支持軸が、その下端に前記戸板取付部材に固定するための固定孔を備えると共に、その上部に側方に突出する係合突起を備えていて、
前記支持軸が、前記ガイド部材に設けられた軸方向に延びる挿入孔に挿入されて、前記係合突起が前記挿入孔に設けられた係合部と係合することにより、前記支持軸の下方または上方への抜けが防止され、
前記ガイド部材が、その上端に設けられた切欠き部内に固定され、前記挿入孔を画成するカラーを備えており、前記支持軸が、このカラーの挿入孔内に挿入されることにより、前記ガイド部材に対して取り付けられ、
前記カラーが、その下端の直径方向両端から下方に伸びる一対の可撓性の係合爪を有していて、前記カラーが前記切欠き部内に上方から挿入される際に、前記係合爪が直径方向内側に変形して切欠き部内に進入すると共に、前記カラーが前記切欠き部内に完全に挿入されたとき、前記係合爪が前記切欠き部から下方に抜けて可撓性に基づいて直径方向外側に復元することにより、前記切欠き部の下縁に係合して、前記カラーの上方への抜けが防止され、
前記カラー内に前記支持軸が挿入されたとき、前記支持軸の係合突起が、前記カラーの挿入孔上縁に設けられた係合部と係合することにより、前記支持軸の下方への抜けが防止されると共に、前記係合爪の内面が前記支持軸の表面に近接することにより、前記係合爪の直径方向内側への弾性変形が阻止される、
ことを特徴とする、吊り戸のランナー構造。
【請求項２】
吊り戸の戸枠の上縁に設けられたガイドレールに沿って長手方向に走行するガイド部材と、戸板の上端に固定される戸板取付部材と、前記ガイド部材と前記戸板取付部材とを連結する支持軸と、を有する、吊り戸のランナー構造であって、
前記支持軸が、その下端に前記戸板取付部材に固定するための固定孔を備えると共に、その上部に側方に突出する係合突起を備えていて、
前記支持軸が、前記ガイド部材に設けられた軸方向に延びる挿入孔に挿入されて、前記係合突起が前記挿入孔に設けられた係合部と係合することにより、前記支持軸の下方または上方への抜けが防止され、
前記支持軸が、前記ガイド部材に設けられた軸方向に延びる挿入孔に上方から挿入されて、前記係合突起が前記挿入孔の上縁に設けられた係合部と係合し、
前記ガイド部材が、その上端に設けられた切欠き部内に固定され、前記挿入孔を画成するカラーを備えており、前記支持軸が、このカラーの挿入孔内に挿入されることにより、前記ガイド部材に対して取り付けられ、
前記カラーが、その下端の直径方向両端から下方に伸びる一対の可撓性の係合爪を有していて、前記カラーが前記切欠き部内に上方から挿入される際に、前記係合爪が直径方向内側に変形して切欠き部内に進入すると共に、前記カラーが前記切欠き部内に完全に挿入されたとき、前記係合爪が前記切欠き部から下方に抜けて可撓性に基づいて直径方向外側に復元することにより、前記切欠き部の下縁に係合して、前記カラーの上方への抜けが防止され、
前記カラー内に前記支持軸が挿入されたとき、前記支持軸の係合突起が、前記カラーの挿入孔上縁に設けられた係合部と係合することにより、前記支持軸の下方への抜けが防止されると共に、前記係合爪の内面が前記支持軸の表面に近接することにより、前記係合爪の直径方向内側への弾性変形が阻止される、
ことを特徴とする、吊り戸のランナー構造。
【請求項３】
吊り戸の戸枠の上縁に設けられたガイドレールに沿って長手方向に走行するガイド部材と、戸板の上端に固定される戸板取付部材と、前記ガイド部材と前記戸板取付部材とを連結する支持軸と、を有する、吊り戸のランナー構造であって、
前記支持軸が、その下端に前記戸板取付部材に固定するための固定孔を備えると共に、その上部に側方に突出する係合突起を備えていて、
前記支持軸が、前記ガイド部材に設けられた軸方向に延びる挿入孔に挿入されて、前記係合突起が前記挿入孔に設けられた係合部と係合することにより、前記支持軸の下方または上方への抜けが防止され、
前記支持軸が、前記ガイド部材に設けられた軸方向に延びる挿入孔に下方から挿入されて、前記係合突起が前記挿入孔の下縁に設けられた係合部と係合し、
前記ガイド部材が、その上端に設けられた切欠き部内に固定され、前記挿入孔を画成するカラーを備えており、前記支持軸が、このカラーの挿入孔内に挿入されることにより、前記ガイド部材に対して取り付けられ、
前記カラーが、その下端の直径方向両端から下方に伸びる一対の可撓性の係合爪を有していて、前記カラーが前記切欠き部内に上方から挿入される際に、前記係合爪が直径方向内側に変形して切欠き部内に進入すると共に、前記カラーが前記切欠き部内に完全に挿入されたとき、前記係合爪が前記切欠き部から下方に抜けて可撓性に基づいて直径方向外側に復元することにより、前記切欠き部の下縁に係合して、前記カラーの上方への抜けが防止され、
前記カラー内に前記支持軸が挿入されたとき、前記支持軸の係合突起が、前記カラーの挿入孔上縁に設けられた係合部と係合することにより、前記支持軸の下方への抜けが防止されると共に、前記係合爪の内面が前記支持軸の表面に近接することにより、前記係合爪の直径方向内側への弾性変形が阻止される、
ことを特徴とする、吊り戸のランナー構造。
【請求項４】
前記カラーが、軸方向に延びる円筒状の外形を有しており、前記切欠き部内で軸周りに回動可能に支持されることを特徴とする、請求項３に記載の吊り戸のランナー構造。
【請求項５】
前記支持軸が、軸方向に垂直な横方向に挿入される固定用ピンにより前記カラーに対して軸方向に固定保持されることを特徴とする、請求項３又は請求項４に記載の吊り戸のランナー構造。
【発明の詳細な説明】
【技術分野】
【０００１】
本発明は、開口部に開閉可能に吊り戸を支持する吊り戸のランナー構造に関し、特にガイド部材を戸板取付部材に対して支持する支持軸の構造に関するものである。
【背景技術】
【０００２】
従来、住宅の各室間の出入り口等の開口部を開閉するために引き戸が使用されることがある。
このような引き戸は、例えば開口部の上縁に沿って設けられたガイドレールに沿って走行するガイドローラ等のガイド部材を含むランナー構造により支持される。
引き戸は、ガイドレールに沿ってガイド部材が走行して開口部の一側または両側に向かって移動することにより、開口部を開放し、または閉鎖する。
【０００３】
従来、このようなランナー構造としては、本出願人による特許文献１に、引き戸のランナー構造が開示されている。
即ち、特許文献１において、引き戸のランナー構造１０は、建物等に設けられた開口部の戸枠の上縁に設けられたガイドレールに沿って長手方向に引き戸（戸板）を移動可能に支持するように構成されており、ガイドレールに沿って走行するガイド部材２０と、引き戸の上端に取り付けられ、ガイド部材に連結される戸板取付部材３０と、ガイド部材と戸板取付部材とを連結する垂直な支持軸４０と、から構成されている。
【０００４】
ガイド部材２０は、それ自体公知の構成であって、本体に対して横向きに延びる二本の車軸にそれぞれ取り付けられた二対の車輪を有している。
車輪は、本体の中心より長手方向前後に配置されており、本体の車軸用取付孔に挿通される車軸の両端に取り付けられ、ガイドレールに設けられたレール部に乗ることにより、レール部上を転動する。
【０００５】
戸板取付部材３０は、公知の構成であって、引き戸の端縁側が開口した中空の箱状に形成されており、引き戸の上端角部において、引き戸の肉厚内に形成された取付用凹陥部内に収容され、引き戸側に固定される。
【０００６】
支持軸４０は、例えば金属等から構成されており、全体が細長い円筒状に形成され、その上端がガイド部材の本体の中心に設けられた垂直方向に延びる貫通孔を貫通して、本体の上側に突出する。
ここで、支持軸４０は、ガイド部材２０の本体２１に対して、本体の下縁に隣接して設けられたフランジ部４３が本体の下面に当接すると共に、本体の上縁に隣接して設けられた環状溝４２内に座金４４が装着されることにより、本体に対して上下方向に移動せず、中心軸の周りに回動可能に、支持されるようになっている。
また、支持軸４０は、その下端に戸板取付部材に対して取り付けるためのネジ部４１を有しており、このネジ部４１により、戸板取付部材３０側に対して取り付けられる。
【先行技術文献】
【特許文献】
【０００７】
【特許文献１】特願第２０１５−０９７７９７号明細書
【発明の概要】
【発明が解決しようとする課題】
【０００８】
しかしながら、特許文献１による引き戸のランナー構造においては、支持軸４０は、無垢の金属材料からヘッダ加工により加工されると共に、ネジ部等を二次加工により形成している。このため、支持軸を製造するための加工工数が多くなり、製造コストが高くなってしまう。
このような支持軸の製造コストに関する問題は、引き戸のランナー構造だけではなく、例えば折り戸等の他の形式の吊り戸に関しても同様に発生する。
【０００９】
本発明は、以上の点に鑑み、簡単な構成により、支持軸の製造コストを低減するようにした吊り戸のランナー構造を提供することを目的としている。
【課題を解決するための手段】
【００１０】
上記目的は、本発明の構成によれば、吊り戸の戸枠の上縁に設けられたガイドレールに沿って長手方向に走行するガイド部材と、戸板の上端に固定される戸板取付部材と、ガイド部材と戸板取付部材とを連結する支持軸と、を有する、吊り戸のランナー構造であって、支持軸が、その下端に戸板取付部材に固定するための固定孔を備えると共に、その上部に側方に突出する係合突起を備えていて、支持軸が、ガイド部材に設けられた軸方向に延びる挿入孔に挿入されて、係合突起が挿入孔に設けられた係合部と係合することにより、支持軸の下方または上方への抜けが防止されることを特徴とする、吊り戸のランナー構造により、達成される。
【００１１】
上記構成によれば、支持軸がガイド部材の挿入孔に挿入されたとき、支持軸の上部から側方に突出した係合突起が挿入孔に設けられた係合部と係合することによって、支持軸の下方または上方への抜けが防止される。
従って、支持軸自体は、側方に突出した係合突起を備えた単純な形状であればよく、例えば板状の材料を使用して、係合突起及び固定孔を含めて一回のプレス加工により形成され得る。
これにより、支持軸そしてランナー構造の製造コストが低減され得ることになる。
【００１２】
本発明による吊り戸のランナー構造は、好ましくは、支持軸が、ガイド部材に設けられた軸方向に延びる挿入孔に上方から挿入されて、係合突起が挿入孔の上縁に設けられた係合部と係合することを特徴とする。
本発明による吊り戸のランナー構造は、好ましくは、支持軸が、ガイド部材に設けられた軸方向に延びる挿入孔に下方から挿入されて、係合突起が挿入孔の下縁に設けられた係合部と係合することを特徴とする。
これらの構成によれば、支持軸の側方に突出する係合突起がガイド部材の挿入孔の上縁または下縁に設けられた係合部と係合することにより、支持軸の下方または上方への抜けが防止される。
【００１３】
本発明による吊り戸のランナー構造は、好ましくは、ガイド部材が、その上端に設けられた切欠き部内に固定され、挿入孔を画成するカラーを備えており、支持軸が、このカラーの挿入孔内に挿入されることにより、ガイド部材に対して取り付けられることを特徴とする。
この構成によれば、支持軸がカラーを介してガイド部材に取り付けられる。
【００１４】
本発明による吊り戸のランナー構造は、好ましくは、カラーが、その下端の直径方向両端から下方に伸びる一対の可撓性の係合爪を有していて、カラーが切欠き部内に上方から挿入される際に、係合爪が直径方向内側に変形して切欠き部内に進入すると共に、カラーが切欠き部内に完全に挿入されたとき、係合爪が切欠き部から下方に抜けて可撓性に基づいて直径方向外側に復元することにより、切欠き部の下縁に係合して、カラーの上方への抜けが防止され、カラー内に支持軸が挿入されたとき、支持軸の係合突起が、カラーの挿入孔上縁に設けられた係合部と係合することにより、支持軸の下方への抜けが防止されると共に、係合爪の内面が支持軸の表面に近接することにより、係合爪の直径方向内側への弾性変形が阻止されることを特徴とする。
【００１５】
この構成によれば、カラーがガイド部材の切欠き部内に挿入された状態で、その係合爪が切欠き部の下縁に係合することによって、カラーのガイド部材から上方への抜けが防止され得る。
また、カラーの挿入孔内に支持軸が挿入されることにより、係合爪の内面が支持軸の表面に近接することによって、係合爪の直径方向内側への弾性変形が阻止されるので、何らかの理由により不用意にガイド部材またはカラーに力が加えられて、係合爪が内側に弾性変形しようとしても、係合爪が内側に弾性変形できず、係合爪がガイド部材の切欠き部から外れてしまうようなことはない。
【００１６】
本発明による吊り戸のランナー構造は、好ましくは、カラーが、軸方向に延びる円筒状の外形を有しており、切欠き部内で軸周りに回動可能に支持されることを特徴とする。
この構成によれば、カラーが切欠き部内で回動することにより、支持軸がカラーの中心軸の周りに回動可能となり、支持軸により戸板取付部材を介して支持される戸板が、ガイド部材に対して回動可能となる。これにより、本吊り戸のランナー構造は、吊り戸が所謂折り戸の場合にも適用することが可能である。
【００１７】
本発明による吊り戸のランナー構造は、好ましくは、支持軸が、軸方向に垂直な横方向に挿入される固定用ピンによりカラーに対して軸方向に固定保持されることを特徴とする。
この構成によれば、支持軸がカラーに対して確実に固定保持されることになり、支持軸がカラーから外れてしまうようなことがない。
【発明の効果】
【００１８】
このようにして、本発明によれば、簡単な構成により、支持軸の加工コストを低減するようにした吊り戸のランナー構造を提供することができる。
【図面の簡単な説明】
【００１９】
【図１】本発明による引き戸のランナー構造の第一の実施形態の構成を示す概略正面図である。
【図２】図１の引き戸のランナー構造を示す概略平面図である。
【図３】図1の引き戸のランナー構造を示す概略側面図である。
【図４】図1の引き戸のランナー構造を構成するガイド部材本体を示す（Ａ）平面図，（Ｂ）正面図及び（Ｃ）縦断面図である。
【図５】図４のガイド部材本体の斜視図である。
【図６】図1の引き戸のランナー構造におけるガイド部材及び支持軸を示す分解斜視図である。
【図７】図１の引き戸のランナー構造におけるガイド部材及び支持軸の連結部分を示す部分拡大断面図である。
【図８】図１の引き戸のランナー構造における使用状態を示す一部破断正面図である。
【図９】本発明による引き戸のランナー構造の第二の実施形態の構成を示す概略正面図である。
【図１０】図９の引き戸のランナー構造を示す概略平面図である。
【図１１】図９の引き戸のランナー構造を示す概略側面図である。
【図１２】図９の引き戸のランナー構造におけるガイド部材及び支持軸を示す分解斜視図である。
【図１３】図９の引き戸のランナー構造におけるガイド部材及び支持軸の連結部分を示す部分拡大断面図である。
【図１４】図９の引き戸のランナー構造における使用状態を示す一部破断正面図である。
【発明を実施するための形態】
【００２０】
図１から図３は、本発明による吊り戸のランナー構造の第一の実施形態を引き戸に組み込んだ状態を示している。
図１から図３において、吊り戸のランナー構造１０は、建物等に設けられた開口部の戸枠１１の上縁に設けられたガイドレール１２に沿って長手方向（Ｘ方向）に引き戸（戸板）１３を移動可能に支持するように構成されており、ガイドレール１２に沿って走行するガイド部材２０と、引き戸１３の上端に取り付けられ、ガイド部材２０に連結される戸板取付部材３０と、ガイド部材２０と戸板取付部材３０とを連結する垂直な支持軸４０と、支持軸４０とガイド部材２０の間に介在するカラー５０と、から構成されている。
【００２１】
ここで、ガイドレール１２は、図１及び図３に示すように、断面が中空の四角形として例えば長尺のアルミニウム材から構成されており、Ｚ方向下方が開放していると共に、図３に示すように、長手方向に垂直な横方向（Ｙ方向）の少なくとも一側（図示の場合、前後の両側）の下縁が内側に折り返されることにより、レール部１２ａを形成している。
【００２２】
ガイド部材２０は、それ自体公知の構成であって、本体２１と、本体２１に対して横向き（Ｙ方向）に延びる二本の車軸２２にそれぞれ取り付けられた二対の車輪２３を有している。
【００２３】
ここで、本体２１は、図４及び図５に示すように、長手方向（Ｘ方向）に離間した二つの車軸用取付孔２１ａを有している。
車輪２３は、本体２１の中心より長手方向前後に配置されており、本体の車軸用取付孔２１ａに挿通される車軸２２の両端に取り付けられ、ガイドレール１２に設けられたレール部１２ａに乗ることにより、レール部１２ａ上を転動する。
【００２４】
本体２１は、その長手方向に関して取付孔２１ａの中間位置（長手方向中心位置）にて、Ｙ方向に延びる固定孔２１ｂを有している。
また、本体２１は、その長手方向中心位置にて、両側から上方に立ち上がる一対の凸部２１ｃを有している。
凸部２１ｃは、ガイド部材２０がガイドレール１２に配置されたとき、図１に示すように、その上端がガイドレール１２の上面との間に僅かな空隙Ｄを画成するように、その高さが選定されている。
これにより、ガイド部材２０がガイドレール１２上で走行または停止している状態で、ガイド部材２０が不用意に上方に浮き上がろうとしても、凸部２１ｃがガイドレール内側の上面に当接することにより、それ以上のガイド部材２０の浮き上がりが阻止される。
【００２５】
さらに、本体２１は、これらの凸部２１ｃの間の領域にて、切欠き部２１ｄを有している。
この切欠き部２１ｄは、その内面が円筒状に形成されており、長手方向中心位置にて、本体２１を上下に貫通している。
さらに、この切欠き部２１ｄは、Ｚ方向の中間に段部２１ｅを備えており、この段部２１ｅの下側が上側よりも小径に形成されている。
【００２６】
戸板取付部材３０は、公知の構成であって、支持軸４０の下端に設けられた固定孔に固定ネジ等の固定手段を挿入することにより、固定保持するようになっている。
ここで、戸板取付部材３０は、支持軸４０の下端を三軸方向（Ｘ，Ｙ及びＺ方向）に調整可能に支持するように構成されているが、詳細な構成の説明は省略する。
【００２７】
支持軸４０は、図６に示すように、Ｙ方向に関して肉薄の板状に形成されており、その上端からＸ方向両側に突出する係合突起４１を備えている。
また、支持軸４０は、その上部にＹ方向に貫通する取付孔４２を備えると共に、その下端付近に、同様にＹ方向に貫通する固定孔４３を備えている。
このような構成の支持軸４０は、例えば金属板等の板状材料から一回のプレス加工によって形成され得る。
【００２８】
カラー５０は、例えばプラスチックから成形されており、図６に示すように、Ｚ方向を軸とする円筒状の外形を有しており、中心で垂直方向に延びる挿入孔５１と、下端の直径方向互いに反対側から下方に延びる一対の係合爪５２と、を備えている。
カラー５０は、ガイド部材２０の本体２１に設けられた切欠き部２１ｄの段部２１ｅより上側の部分の直径より僅かに小さい直径を有しており、上側から切欠き部２１ｄ内に挿入されたとき、下端の周縁が、段部２１ｅに当接することにより、下方への移動が規制されるようになっている。
【００２９】
挿入孔５１は、支持軸４０の（Ｘ方向の）幅及び（Ｙ方向の）厚さより僅かに大きい幅及び厚さを有するように形成されており、支持軸４０を受容し得るようになっている。
さらに、挿入孔５１は、その上端付近のＸ方向側壁が上に向かって広がるように形成され、係合部５１ａを構成している。
【００３０】
係合爪５２は、例えばカラー５０の円筒状の本体と一体に成形されており、弾性を有している。
これにより、カラー５０がガイド部材２０の本体２１に設けられた切欠き部２１ｄ内に挿入される際、カラー５０の円筒状の本体の周面より外側に突出している部分が、当該周面の内側に退避するように、係合爪５２が弾性変形して、切欠き部２１ｄを通過し、カラー５０の下端の周縁が段部２１ｅに当接したとき、図７に詳細に示すように、係合爪５２の先端が本体２１から下方に突出して、その復元力により外側に変形して、本体２１の下縁に係合する。
従って、カラー５０は、係合爪５２の本体２１の下縁への係合によって、切欠き部２１ｄから上方への抜けが阻止されるようになっている。
【００３１】
また、係合爪５２は、図７に示すように、挿入孔５１内に支持軸４０が挿入された状態で、その内面が支持軸４０の表面に近接することにより、内側への弾性変形が規制され、係合爪５２が本体２１の下縁への係合位置に保持される。これにより、係合爪５２が不用意に内側に弾性変形して、カラー５０が切欠き部２１ｄから上方に抜けてしまうようなことがない。
【００３２】
さらに、カラー５０がガイド部材２０の本体２１に設けられた切欠き部２１ｄ内に挿入され、支持軸４０がカラー５０の挿入孔５１内に挿入されて、その上端の係合突起４１がカラー５０の挿入孔５１の上端に設けられた係合部５１ａに係合した状態で、図７に示すように、本体２１に設けられた貫通孔２１ｂから、カラー５０に設けられた固定孔５３及び支持軸４０の上部に設けられた取付孔４２内に、固定手段としてのスプリングピン５４が圧入等により取り付けられる。これにより、支持軸４０は、カラー５０に対して確実に固定保持されることになる。
この際、スプリングピン５４は、その長さが、カラー５０の直径より短く選定されており、カラー５０の固定孔５３内に挿入された状態で、カラー５０の外周面から外側に突出するようなことはない。これにより、支持軸４０を固定保持するカラー５０は、切欠き部２１ｄ内で、Ｚ方向に延びる軸の周りに回動可能に支持されることになる。
【００３３】
本発明による吊り戸のランナー構造１０は、以上のように構成されており、以下のように動作する。
まず、図８に示すように、戸板取付部材３０が引き戸１３の上端角部に形成された凹陥部１３ａ内に収容され、取付ネジ等により、引き戸１３側に固定される。
他方、ガイド部材２０には、前もって本体２１の切欠き部２１ｄ内にカラー５０が挿入され、係合爪５２がガイド部材２０の本体２１の下縁に係合することにより、固定保持される。そして、カラー５０の挿入孔５１内に支持軸４０が上方から挿入され、支持軸４０の係合突起４１が挿入孔５１の上縁の係合部５１ａに係合する。続いて、スプリングピン５４が、本体２１の貫通孔２１ｂを介して、カラー５０の固定孔５３及び支持軸４０の取付孔４２内に圧入される。
これにより、ガイド部材２０に対してカラー５０及び支持軸４０が組付けられる。
【００３４】
そして、カラー５０及び支持軸４０が組付けられたガイド部材２０が、戸枠１１に備えられたガイドレール１２のレール部１２ａ上に載せられると共に、ガイド部材２０から下方に延びる支持軸４０の下端が、引き戸１３に取り付けられた戸板取付部材３０に対して固定ネジ等により取り付けられる。
これにより、図１〜図３及び図８に示すように、吊り戸のランナー構造１０の引き戸１３への組み付け作業が完了する。
【００３５】
このように引き戸１３に組付けられた吊り戸のランナー構造１０においては、カラー５０は、その下端がガイド部材２０の本体２１に設けられた切欠き部２１ｄ内の段部に上方から当接することにより、カラー５０の下方への移動が規制されると共に、その係合爪５２の先端がガイド部材２０の本体２１に設けられた切欠き部２１ｄの下端の周縁に係合することによって、カラー５０の上方への移動が規制される。
これにより、支持軸４０は、カラー５０に対してスプリングピン５４により固定保持されることにより、ガイド部材２０の本体２１に対して上下方向に移動しないように取り付けられることになる。
また、支持軸４０は、カラー５０を介してガイド部材２０の本体２１に対して取り付けられるので、カラー５０が本体２１の切欠き部２１ｄ内で、その中心軸の周りに回動可能であることから、支持軸４０もガイド部材２０に対して、切欠き部２１ｄの中心軸の周りに回動可能に取り付けられることになる。
【００３６】
このようにして、本発明による吊り戸のランナー構造１０によれば、支持軸４０は、板状に形成されており、その係合突起４１が側方に突出していると共に、その上部に取付孔４２を、またその下部に固定孔４３を備えるように形成されている。従って、支持軸４０は、単純な形状であり、一回のプレス加工により形成することが可能である。
さらに、支持軸４０は、カラー５０を介してガイド部材２０の切欠き部２１ｄに取り付けられている。このため、従来の支持軸と比較すると、部品点数が増えることになるが、支持軸４０自体が一回のプレス加工により加工可能であると共に、カラー５０は樹脂成形により形成され得ることから、支持軸４０及びカラー５０の製造コストは、従来の金属製の円棒から複雑な形状に加工して支持軸を製造する場合と比較して、低減され得ることになる。
また、支持軸４０がカラー５０を介してガイド部材２０に対して取り付けられていることから、支持軸４０が、ガイド部材２０に対して、その中心軸の周りに回動可能である。これにより、吊り戸が引き戸ではなく、折り戸の場合にも、本吊り戸のランナー構造１０を適用することが可能となる。
【００３７】
なお、ガイド部材２０の本体２１に凸部２１ｃが形成されていることにより、ガイド部材２０がガイドレール１２に沿って移動するとき、またはガイド部材２０がガイドレール１２上で静止しているとき、何らかの原因でガイド部材２０がガイドレール１２から浮き上がろうとすると、凸部２１ｃがガイドレール１２の内側の上面に当接することにより、ガイド部材２０のガイドレール１２から上方への浮き上がりが規制される。従って、ガイド部材２０がガイドレール１２から外れてしまうようなことがない。
【００３８】
図９から図１１は、本発明による吊り戸のランナー構造の第二の実施形態を引き戸に組み込んだ状態を示している。
図９から図１１において、吊り戸のランナー構造６０は、図１から図３に示した吊り戸のランナー構造１０とほぼ同様の構成であるので、同じ構成要素については同じ符号を付して、その説明を省略する。
【００３９】
図９から図１１において、吊り戸のランナー構造６０は、ガイドレール１２に沿って走行するガイド部材２０と、引き戸１３の上端に取り付けられ、ガイド部材２０に連結される戸板取付部材３０と、ガイド部材２０と戸板取付部材３０とを連結する垂直な支持軸７０と、支持軸７０とガイド部材２０の間に介在するカラー８０と、から構成されている。
【００４０】
支持軸７０は、図１２に示すように、Ｙ方向に関して肉薄の板状に形成されており、その上端より距離ｄだけ下側からＸ方向両側に突出する係合突起７１を備えている。
係合突起７１は、支持軸７０の中心からＸ方向に関して、ガイド部材２０の本体２１に設けられた切欠き部２１ｄを越えて突出するように、その寸法が選定されている。
また、支持軸７０は、その上部にＹ方向に貫通する取付孔７２を備えると共に、その下端付近に、同様にＹ方向に貫通する固定孔７３を備えている。
このような構成の支持軸７０は、例えば金属板等の板状材料から一回のプレス加工によって形成され得る。
【００４１】
カラー８０は、例えばプラスチックから成形されており、図１２に示すように、Ｚ方向を軸とする円筒状の外形を有しており、中心で垂直方向に延びる挿入孔８１を備えている。
カラー８０は、ガイド部材２０の本体２１に設けられた切欠き部２１ｄの段部２１ｅより上側の部分の直径より僅かに小さい直径を有する大径部８２と、その下側で切欠き部２１ｄの段部２１ｅより下側の部分の直径より僅かに小さい小径部８３と、を有しており、上側から切欠き部２１ｄ内に挿入されたとき、大径部８２の下端の周縁が、段部２１ｅに当接することにより、下方への移動が規制されるようになっている。
【００４２】
挿入孔８１は、支持軸７０の（Ｘ方向の）幅及び（Ｙ方向の）厚さより僅かに大きい幅及び厚さを有するように形成されており、支持軸７０を受容し得るようになっている。
これにより、カラー８０がガイド部材２０の本体２１に設けられた切欠き部２１ｄ内に挿入される際、カラー８０の大径部８２の下端の周縁が段部２１ｅに当接することによって、カラー８０の下方への抜けが阻止される。
【００４３】
さらに、カラー８０がガイド部材２０の本体２１に設けられた切欠き部２１ｄ内に挿入され、支持軸７０がカラー８０の挿入孔８１内に下方から挿入されて、その上方の係合突起７１がカラー８０の挿入孔８１の係合部としての下縁に係合した状態で、図１３に示すように、本体２１に設けられた貫通孔２１ｂから、カラー８０に設けられた固定孔８４及び支持軸７０の上部に設けられた取付孔７２内に、固定手段としてのスプリングピン８５が圧入等により取り付けられる。
これにより、支持軸７０は、カラー８０に対して確実に固定保持されることになり、カラー８０は、その大径部８２の下縁がガイド部材２０側の切欠き部２１ｄの段部２１ｅに当接することにより、カラー８０の下方への抜けが阻止されると共に、スプリングピン８５によりカラー８０と一体化された支持軸７０の係合突起７１がガイド部材２０の本体２１の下縁に係合することにより、カラー８０の上方への抜けが阻止される。
かくして、支持軸７０は、カラー８０を介して上方及び下方への抜けが阻止され、ガイド部材２０に対して確実に固定保持されることになる。
【００４４】
この際、スプリングピン８５は、その長さが、カラー８０の直径より短く選定されており、カラー８０の固定孔８４内に挿入された状態で、カラー８０の外周面から外側に突出するようなことはない。これにより、支持軸７０を固定保持するカラー８０は、切欠き部２１ｄ内で、Ｚ方向に延びる軸の周りに回動可能に支持されることになる。
【００４５】
本発明による吊り戸のランナー構造６０は、以上のように構成されており、以下のように動作する。
まず、図１４に示すように、戸板取付部材３０が引き戸１３の上端角部に形成された凹陥部１３ａ内に収容され、取付ネジ等により、引き戸１３側に固定される。
他方、ガイド部材２０には、前もって本体２１の切欠き部２１ｄ内にカラー８０が挿入され、その大径部８２の下縁が切欠き部２１ｄ内の段部２１ｅに当接すると共に、カラー８０の挿入孔８１内に支持軸７０が下方から挿入され、支持軸７０の係合突起７１が本体２１の切欠き部２１ｄの下端周縁に係合する。この状態から、スプリングピン８５が、本体２１の貫通孔２１ｂを介して、カラー８０の固定孔８４及び支持軸７０の取付孔７２内に圧入される。
これにより、ガイド部材２０に対してカラー８０及び支持軸７０が組付けられる。
【００４６】
そして、カラー８０及び支持軸７０が組付けられたガイド部材２０が、戸枠１１に備えられたガイドレール１２のレール部１２ａ上に載せられると共に、ガイド部材２０から下方に延びる支持軸７０の下端が、引き戸１３に取り付けられた戸板取付部材３０に対して固定ネジ等により取り付けられる。
これにより、図９〜図１１及び図１４に示すように、吊り戸のランナー構造６０の引き戸１３への組み付け作業が完了する。
【００４７】
このように引き戸１３に組付けられた吊り戸のランナー構造６０においては、カラー８０は、その下端がガイド部材２０の本体２１に設けられた切欠き部２１ｄ内の段部に上方から当接することにより、カラー８０の下方への移動が規制される。
これに対して、支持軸７０は、カラー８０の挿入孔８１内に下方から挿入され、その係合突起７１がガイド部材２０の本体２１に設けられた切欠き部２１ｄの下端の周縁に係合することにより、支持軸７０の上方への移動が規制される。
この状態で、支持軸７０がカラー８０に対してスプリングピン８５により固定保持されることにより、支持軸７０は、カラー８０を介して、ガイド部材２０の本体２１に対して上下方向に移動しないように取り付けられることになる。
また、支持軸７０は、カラー８０を介してガイド部材２０の本体２１に対して取り付けられるので、カラー８０が本体２１の切欠き部２１ｄ内で、その中心軸の周りに回動可能であることから、支持軸７０もガイド部材２０に対して、切欠き部２１ｄの中心軸の周りに回動可能に取り付けられることになる。
【００４８】
本発明はその趣旨を逸脱しない範囲において様々な形態で実施することができる。
例えば、上述した実施形態においては、支持軸４０は、スプリングピン５４によりカラー５０に対して固定保持されているが、これに限らず、ローレットピン等の他の固定手段により、支持軸４０，７０がカラー５０，８０に固定保持されるようにしてもよい。
【００４９】
上述した実施形態においては、ガイド部材２０の本体２１は、上方に突出した一対の凸部２１ｃを一体的に備えているが、これに限らず、この凸部２１ｃは省略されてもよい。
【００５０】
また、上述した実施形態においては、吊り戸のランナー構造をガイドレールに沿って移動する引き戸１３に適用した場合について説明したが、これに限らず、複数枚の戸板から成り、開放時には蛇腹上に折り畳まれる所謂折り戸に対して本吊り戸のランナー構造を適用することも可能である。
【００５１】
以上述べたように、本発明によれば、簡単な構成により、支持軸の加工コストを低減するようにした、極めて優れた吊り戸のランナー構造が提供される。
【符号の説明】
【００５２】
１０    引き戸のランナー構造
１１    戸枠
１２    ガイドレール
１２ａ  レール部
１３    引き戸（戸板）
２０    ガイド部材
２１    本体
２１ａ  車軸用取付孔
２１ｂ  固定孔
２１ｃ  凸部
２１ｄ  切欠き部
２１ｅ  段部
３０    戸板取付部材
４０，７０    支持軸
４１，７１    係合突起
４２，７２    取付孔
４３，７３    固定孔
５０，８０    カラー
５１，８１    挿入孔
５１ａ  係合部
５２    係合爪
５３，８４    固定孔
５４，８５    スプリングピン
８２    大径部
８３    小径部
【図１】
0006721382.tif 000002
【図２】
0006721382.tif 000003
【図３】
0006721382.tif 000004
【図４】
0006721382.tif 000005
【図５】
0006721382.tif 000006
【図６】
0006721382.tif 000007
【図７】
0006721382.tif 000008
【図８】
0006721382.tif 000009
【図９】
0006721382.tif 000010
【図１０】
0006721382.tif 000011
【図１１】
0006721382.tif 000012
【図１２】
0006721382.tif 000013
【図１３】
0006721382.tif 000014
【図１４】
0006721382.tif 000015